(57)【要約】  曲又は他のメディアアイテムのプレイリストは、天気状況、株式市況、曲の売り上げ、又は例えば曜日、休日、又は誕生日や記念日などのユーザ指定の日といった暦データなどの外部ファクタ３１４，３２４，３３４に基づいて自動的に発生される（３８０）。外部ファクタに関係する外部データ３１０，３２０，３３０は、例えばラジオ放送、インターネットリンク又は車載コンピュータへのリンクから受信可能である（１１５）。外部データは、プレイリストの適合メディアアイテム３７０を得るようにメディアアイテムにマッピングされる（３６０）。マッピングは、ユーザ嗜好（１４５）を考慮してもよい。ユーザは、ジャンルやアーチスト又はアルバムだけといった従来の判断基準よりも極めて良好な態様でユーザのムード及び／又は現在の嗜好を表す外部ファクタを選択することができる（３０５）。
2008530720.tif 000002
【特許請求の範囲】
【請求項１】
メディアプレーヤのメディアアイテムのプレイリストを発生する方法であって、
少なくとも１つの外部ファクタを複数のメディアアイテムにマッピングして少なくとも１つの適合メディアアイテムとして前記複数のメディアアイテムのうちの少なくとも１つを選択することと、
前記少なくとも１つの適合メディアアイテムを有するプレイリストを発生することと、
を有する方法。
【請求項２】
請求項１に記載の方法であって、
前記少なくとも１つの外部ファクタに関係する外部ソースからデータを受信することをさらに有し、
前記マッピングは、前記外部ソースからの当該データに応じて行われる、
方法。
【請求項３】
請求項１に記載の方法であって、
前記マッピングは、ユーザが前記少なくとも１つの外部ファクタを選択するのに応じて始動させられる、
方法。
【請求項４】
請求項１に記載の方法であって、
前記マッピングは、利用可能な複数の外部ファクタの中から前記少なくとも１つの外部ファクタをユーザが選択するのに応じて始動させられる、
方法。
【請求項５】
請求項１に記載の方法であって、前記少なくとも１つの外部ファクタは、天気状況に関係する、方法。
【請求項６】
請求項１に記載の方法であって、前記少なくとも１つの外部ファクタは、金融市況に関係する、方法。
【請求項７】
請求項１に記載の方法であって、前記少なくとも１つの外部ファクタは、メディアアイテムの売り上げに関係する、方法。
【請求項８】
請求項１に記載の方法であって、前記少なくとも１つの外部ファクタは、暦データに関係する、方法。
【請求項９】
請求項８に記載の方法であって、前記暦データは、週の曜日に関係する、方法。
【請求項１０】
請求項８に記載の方法であって、前記暦データは、季節に関係する、方法。
【請求項１１】
請求項８に記載の方法であって、前記暦データは、休日に関係する、方法。
【請求項１２】
請求項８に記載の方法であって、前記暦データは、ユーザにより指定される特定の日に関係する、方法。
【請求項１３】
請求項１に記載の方法であって、前記少なくとも１つの外部ファクタは、時刻に関係する、方法。
【請求項１４】
請求項１に記載の方法であって、前記プレイリストは、前記メディアプレーヤにより前記少なくとも１つの外部ファクタの変化が検出されても、発生されると固定される、方法。
【請求項１５】
請求項１に記載の方法であって、当該発生されるプレイリストは、前記メディアプレーヤにより前記少なくとも１つの外部ファクタの変化が検出されるときに更新される、方法。
【請求項１６】
請求項１に記載の方法であって、前記マッピングは、前記複数のメディアアイテムに関連付けられたメタデータを用いる、方法。
【請求項１７】
請求項１に記載の方法であって、前記マッピングは、ユーザ嗜好に応じて行われる、方法。
【請求項１８】
メディアプレーヤであって、
少なくとも１つの外部ファクタを選択するユーザコマンドを受信するユーザインターフェースと、
前記ユーザコマンドに応じ、前記少なくとも１つの外部ファクタを複数のメディアアイテムにマッピングして、少なくとも１つの適合メディアアイテムとして前記複数のメディアアイテムのうちの少なくとも１つを選択し、前記少なくとも１つの適合メディアアイテムを有するプレイリストを発生する少なくとも１つのプロセッサと、
を有するプレーヤ。
【請求項１９】
メディアプレーヤのためにメディアアイテムのプレイリストを発生するための方法を行うための少なくとも１つのプロセッサにより実行可能な命令を有形にて具現化する少なくとも１つのプログラム記憶装置であって、前記方法は、
少なくとも１つの外部ファクタを複数のメディアアイテムにマッピングして前記複数のメディアアイテムのうちの少なくとも１つを少なくとも１つの適合メディアアイテムとして選択することと、
前記少なくとも１つの適合メディアアイテムを有するプレイリストを発生することと、
を有する、装置。
【発明の詳細な説明】
【技術分野】
【０００１】
本発明は、広く、ＣＤプレーヤやＭＰ３プレーヤなどのメディアプレーヤにおける再生のための曲のリストのようなプレイリストを発生することに関し、特に、外部ファクタに基づいてこのようなプレイリストを自動的に発生するための方法及びシステムに関する。
【背景技術】
【０００２】
現在、様々なタイプのメディアプレーヤが消費者その他ユーザに利用可能となっている。例えば、ＭＰ３プレーヤのような携帯型ディジタル音楽プレーヤや、パーソナルコンピュータ（ＰＣ）は、ディジタル形式で多数の曲の記憶を可能としている。さらに、家庭向け娯楽システムも、ケーブル及び衛星テレビジョンネットワーク、インターネットなどのコンピュータネットワークを介して、また、ディジタルバーサタイルディスク（ＤＶＤ）に記憶される映画のような局部的ストレージを介してユーザがコンテンツにアクセスすることを可能にするメディアプレーヤである。例えば、電子プログラムガイドは、利用可能なテレビ放送番組からユーザが選択することを可能にしている。ディジタル形式での車載レシーバや家にあるレシーバへ向けた衛星を介してのトークショーや音楽などのラジオ番組の放送も普及しつつある。
【０００３】
例えば、フィリップス社製のNexperia （登録商標）Personal Media Playerは、移動体装置製造業者のリファレンスデザインを提供している。これは、ＰＣ及び家庭向け娯楽システムへの接続だけでなく高解像度ビデオ記録及び再生を提供するものである。このデザインに基づいたパーソナルメディアプレーヤは、消費者が、活動的に、高品質ディジタルオーディオ及びビデオを記録及び記憶するよう自分のＰＣ及び家庭向け娯楽機器に有線又は無線で接続し、その後に映画を鑑賞し、音楽を聞き、写真を見ることを可能にする。このメディアプレーヤは、ＭＰ３，ＡＡＣ，ドルビー（登録商標）ディジタル，ＭＰＥＧ−２，ＭＰＥＧ−４及びＤｉｖＸ（登録商標）を含む色々なオーディオ及びビデオ規格との両立性を提供する。
【０００４】
利用可能なコンテンツの普及により、現在のメディアプレーヤは、推奨を提供しプログラムのプレイリストを発生することにより、メディアアイテム（例えば、曲、又はテレビ若しくはラジオ番組）の中からの選択をなす際のユーザの支援をするのが普通である。例えば、ユーザの好みは、ユーザが興味を持つ例えば曲の種類を識別することをユーザに質問するユーザインターフェースを設けることにより進展させることができる。或いは、メディアプレーヤは、どんな種類のコンテンツがユーザが興味を持っているかを学習するよう時間とともにユーザの選択を追跡するロジックを使うことができる。そしてメディアプレーヤは、プレイリストにおいてコンテンツを推奨することができる。例えば、携帯型メディアプレーヤは、曲のプレイリストを自動的に発生し、当該メディアプレーヤのディスプレイにタイトル及びアーチストなどの情報を表示することができる。
【発明の開示】
【発明が解決しようとする課題】
【０００５】
多くのメディアプレーヤは、自動的プレイリスト発生の特徴を提供するが、ジャンルやアーチスト、アルバムその他の曲の特徴といった特定のメタデータに概して限定される。特に、利用可能なソリューションは、ユーザにとってより楽しく興味のある経験を提供するプレイリストを発生するために用いることができユーザに特別な関心事の判断基準に基づいてカスタマイズされる他の種類のデータを考慮に入れていない。
【課題を解決するための手段】
【０００６】
本発明は、天気状況、株式市況、曲の売り上げ、又は週の曜日、休日若しくは誕生日や記念日などのユーザ指定の日といった暦データなどの外部ファクタに基づいて自動的にプレイリストを発生するための方法及びシステムを提供することにより、上記の問題及びその他の問題に対処するものである。本発明は、かかる外部データを、プレイリストのための適合メディアアイテムを選択するよう曲などの利用可能なメディアアイテムにマッピングする。ユーザは、ジャンル、アーチスト又はアルバムだけといった従来の判断基準よりも遥かに良好に、ムード及び／又はユーザの現在の嗜好を表す外部ファクタを選択する。パーソナルプレイリストは、外部ファクタに基づいて特定の期間当たり１回発生することができる。
【０００７】
特に、本発明の一態様においては、メディアプレーヤのメディアアイテムのプレイリストを発生するための方法であって、複数のメディアアイテムに少なくとも１つの外部ファクタをマッピングし少なくとも１つの適合メディアアイテムとして当該複数のメディアアイテムのうちの少なくとも１つを選択するようことと、当該少なくとも１つの適合メディアアイテムを有するプレイリストを発生することとを含む。
【０００８】
対応するメディアプレーヤ装置及びプログラム記憶装置も提供されうる。
【０００９】
全ての図において、対応する部分は同じ参照番号により指し示される。
【発明を実施するための最良の形態】
【００１０】
本発明は、当該システムにより再生される予定のメディアアイテムのプレイリストを自動的に発生するあらゆるタイプのメディアプレーヤに用いることができる。メディアプレーヤの例は、ハードディスク装置（ＨＤＤ）音楽プレーヤ、セットトップボックス、ホームメディアプレーヤ、パーソナルコンピュータ、ポータブルＭＰ３プレーヤ、自動車向けシステムなどを含む。プレイリストは、従来、相互に関係づけられたメディアアイテム（例えば、曲、説明、ＴＶ番組、スライドショーにおけるスライド）を提供しようとするものである。それらの曲は、類似のアーチスト又はジャンルに関係づけてもよく、或いはメディアプレーヤにより記憶されるユーザ嗜好を用いてもよい。さらに、電子プログラムガイド（ＥＰＧ；electronic program guide）は、どのプログラムが放送予定となっているかを判定するために一般に用いられる。したがって、プレイリストは、例えば一晩分のＴＶ視聴について、当該ＥＰＧからプログラムを選択することによって作成可能である。多くのメディアプレーヤは、いつでも後の再生のために放送番組の記録をなすことも備えている。
【００１１】
図１は、一例のメディアプレーヤのブロック図を示している。図１において、ブロック１０５は「カレンダ」を示し、ブロック１１０は「ユーザインターフェース」を示し、ブロック１１５は「外部データインターフェース」を示し、ブロック１２０は「メモリ」を示し、ブロック１３０は「プロセッサ」を示し、ブロック１４０は「コンテンツプレーヤ」を示し、ブロック１４５は「ユーザ嗜好」を示し、ブロック１５０は「コンテンツ記憶」を示し、ブロック１６０は「メタデータ」を示す。メディアプレーヤ１００は、プロセッサ１３０及びメモリ１２０を含む。メモリ１２０は、ここで説明される機能を達成するようプロセッサ１３０により実行される、ソフトウェア、マイクロコード又はファームウェアのような命令群を記憶することができる。したがって、メモリ１２０は、有形にしてそれら実行可能な命令を具現化するプログラム記憶装置とみなすことができる。このようなプログラム記憶装置は、当該メディアプレーヤ内に作り込まれ、或いはＣＤＲＯＭ又は携帯型ＵＳＢフラッシュメモリのような取り外し可能な媒体として設けられるようにすることができる。ユーザ嗜好ブロック１４５は、１人又は複数人のユーザのためにメディアプレーヤにより保持されるユーザ嗜好データを表す。このデータは、例えばユーザが或る特定のジャンルの曲が好きであることを示すことができる。コンテンツ記憶手段１５０は、オーディオコンテンツ（例えば、曲、説明）、ビデオコンテンツ（例えば、ディジタル写真）及びオーディオ／ビデオコンテンツ（例えば、映画）を含むメディアアイテムのデータベースを記憶するための記憶リソースを表す。コンテンツ記憶手段１５０は、ハードディスクドライブ、フラッシュメモリ又はその他のメモリ資源とすることができる。コンテンツプレーヤ１４０は、ディスプレイ又はオーディオ増幅器などへ、適切な出力信号を供給するよう（例えば伸長及び復号を行うことによって）コンテンツ記憶手段１５０からのコンテンツを処理するオーディオ及び／又はビデオプレーヤとすることができる。ユーザインターフェース１１０は、ユーザがコマンドを入力することを可能にする、例えばＬＣＤスクリーンなどのディスプレイ又は場合によってはボイス／オーディオインターフェースを備えることができる。
【００１２】
メタデータブロック１６０は、コンテンツ記憶部１５０にメディアアイテムについて記憶されるメタデータを示す。このメタデータは、オプションとして、当該メディアアイテム自体とともに記憶も可能である。メタデータは、ジャンル、アーチスト及びアルバムタイトル、テンポ及び分当たりのビートのような曲の特性、キーワード及び歌詞などの情報を含むことができる。メタデータは、メディアアイテムが年齢や性別などのような人口統計的要因に基づいて或る特定のユーザに好評となることが期待されているかどうかを示すこともできる。曲のメタデータは、色々なソースから得ることができる。例えば、フィリップス社から入手可能なオーディオ指紋技術及びGracenote社のＣＤＤＢ（登録商標）データベース（エメリービル、カリフォルニア）のようなデータベースへのアクセスを用いることができる。さらに、メタデータは、ＭＰ３の曲のために用いられるＩＤ３タグ付け、又はＡＡＣ曲又はその他の曲形式のための同様のメカニズムに基づくことができる。なお、このＩＤ３タグは、必要に応じて付加的情報により拡張することができる。
【００１３】
カレンダ機能１０５は、例えばＶＤＲ及びＤＶＤプレーヤにより用いられる日時管理構成部と同様なものとすることができ、週の曜日（例えば月曜、火曜など）、月、日にち及び年、並びにオプションとしては時刻といった日付情報を保持する。カレンダ１０５は、休日や満月の日などの一般的に関心のある日とともに予めプログラム可能である。さらに、ユーザインターフェース１１０を、家族及び友人の誕生日や記念日などの特別な日をユーザが指定することを可能にしてもよい。
【００１４】
外部データインターフェース１１５は、例えば無線ネットワーク又はインターネットなどの通信ネットワークのような外部データ源から外部データを受信する。一例として、ＲＦラジオ信号は、この外部データを含んで放送されることが可能である。一般に、外部データは、外部ファクタ、例えばメディアプレーヤ又はメディアアイテムの外部にあるか又は該プレーヤ若しくはアイテムに本来的には関係しないファクタ又は条件を表す。このようなファクタは、天気状況（例えば晴れ、曇り、雨、嵐、風、外部温度など）、金融市況（株式市場データ（例えばダウジョーンズ工業株３０種平均（ＤＪＩＡ）若しくはＳ＆Ｐ５００のような市場平均又は特定株式の価格）など）、又は様々な曲の売り上げデータ（例えば、Billboard Top 40 Tracks（登録商標）など）を含むことができる。週の曜日のような暦データも、外部ファクタとみなされる。但し、暦データは、カレンダ機能１０５により局部的に保持可能である。オプションとして、暦データは、インターフェース１１５を介して外部ソースから受信される。
【００１５】
図２は、本発明による一例のメディアプレーヤユーザインターフェースを示している。本例のユーザインターフェース２００は、プレイリストを表示するためのディスプレイ２１０を含む。１つの実現可能な形態として、メディアプレーヤインターフェース２００は、携帯型メディアプレーヤのような自己完結型のメディアプレーヤとされる。メディアプレーヤインターフェース２００は、ホームメディアプレーヤにおける他の構成部との通信をなすように用いられるハンドヘルド型リモコンのような装置に設けられることも可能である。例えば、ディスプレイ２１０は、ＴＶ番組のプレイリストを提供するためのＴＶリモコンにあるものとすることができる。ＴＶを制御するために付加的なボタンを設けてもよく、或いは、当該ボタンがタッチスクリーンボタンとしてディスプレイ２１０に発生されるようにしてもよい。他の例では、メディアプレーヤインターフェース２００は、ＣＤプレーヤのためのリモコンとされ、ディスプレイ２１０は、ＣＤライブラリから利用可能な曲のプレイリストを提示する。他の例では、メディアプレーヤインターフェース２００は、ディジタルカメラの一部とされ、ディスプレイ２１０は、当該カメラに記憶される画像のプレイリストを提示する。当業者であれば、様々な他の実現可能な形態が明らかとなる筈である。メディアプレーヤインターフェース２００は、ユーザがコマンドを入力し当該プレイリストを見ることを可能にする矢状ボタンのような入力装置２２０を含む。他の構成も可能であるので、図示の特定の構成は一例に過ぎない。ボイス／オーディオインターフェースのような他のインターフェースメカニズムを用いることもできる。或いは、ディスプレイ２１０は、ユーザが接触によってコマンドを入力することができるタッチスクリーンとしてもよい。
【００１６】
図３は、本発明による適合メディアアイテムを選択するよう外部ファクタのメディアアイテムへのマッピングを示している。図３において、矢印３０５は「ユーザ選択」を示し、ブロック３１０は「外部ソースＡ」を示し、矢印３１２は「外部データＡ」を示し、ブロック３１４は「外部ファクタＡ」を示し、ブロック３２０は「外部ソースＢ」を示し、矢印３２２は「外部データＢ」を示し、ブロック３２４は「外部ファクタＢ」を示し、ブロック３３０は「外部ソースＣ」を示し、ブロック３３２は「外部データＣ」を示し、ブロック３３４は「外部ファクタＣ」を示し、ブロック３４０は「メディアアイテムのためのメタデータ」を示し、ブロック３５０は「外部ファクタＡ，外部データＡ」を示し、ブロック３６０は「マッピング」を示し、ブロック３７０は「適合メディアアイテム」を示し、ブロック３８０は「プレイリスト発生」を示し、ブロック１４５は「ユーザ嗜好」を示している。概して、このメディアプレーヤは、ユーザが、プレイリストを発生するために１つ以上の外部ファクタの中からユーザインターフェース１１０を介して選択することを可能にしてもよい。この外部ファクタは、例えばユーザの現在のムード又は関心に基づいてユーザにより選択可能である。１つの可能性のあるアプローチにおいて、選択された外部ファクタは、プレイリストを発生するときの後の使用のために記録される。或いは、メディアプレーヤは、即座にプレイリストを発生又は変更することができる。
【００１７】
一例として、ユーザは、ブロック３１４，３２４及び３３４により表される３つの外部ファクタのうちの１つを選択することができる。外部ファクタＡ（ブロック３１４）は、天気状況を表しうるのに対し、外部ファクタＢ（ブロック３２４）は、株式市況を表し、外部ファクタＣ（ブロック３３４）は売り上げ状況を表す。さらに、外部ファクタに関係するデータは、インターネット、又はＦＭ周波帯においてデータを伝送するラジオデータサービス（ＲＤＳ；Radio Data Service）を一例として含むラジオ放送のような１つ又は複数の外部ソースから受信可能である。１つの可能性のあるアプローチにおいて、自動車におけるメディアプレーヤは、外部ファクタに関係するデータを得るために当該自動車におけるシステムと通信可能である。例えば、外部データインターフェース１１５は、その車の温度センサから現在の温度を受信し、或いは車のフロントガラスのワイパが動作している場合又は当該ワイパを制御する雨センサが雨を検知した場合に雨が降っていることを確認するようにしてもよい。外部データインターフェース１１５は、例えばセンサを監視する自動車におけるコンピュータと通信するものとしてもよい。
【００１８】
曲などの売り上げデータは、通常は、週毎にビルボードのような音楽産業ソースから利用可能であり、外部データインターフェース１１５に通信されることも可能である。売り上げデータは、異なるジャンル（例えばジャズ、ポピュラーなど）の上位の曲を識別することができる。
【００１９】
外部のデータソース３１０，３２０及び３３０は、異なるソースとなることができ、或いは１つのソースによって与えられることができる。外部ソース３１０，３２０及び３３０は、それぞれの外部ファクタ３１４，３２４及び３３４による使用のために、異なるパス又は１つのパスとすることができる通信パス３１２，３２２及び３３２を介してそれぞれの外部データを通信する。ユーザが外部ファクタＡ（ブロック３１４）を選択する場合、外部ファクタＡ及び外部データＡ（ブロック３５０）は、プレイリスト（ブロック３８０）を発生するために１つ又は複数の適合メディアアイテム（ブロック３７０）を判定するようメディアアイテム（ブロック３４０）にマッピング機能３６０によりマップ化される。例えば、外部データは、メディアアイテムのメタデータの適合の判断基準を作成するためにメタデータに変換可能である。マッピング３６０は、当該適合メディアアイテムを判定する際のユーザ嗜好１４５に応じたものとすることもできる。したがって、本発明は、外部データと自動的プレイリスト発生のために用いられる標準のメタデータとの間でマッピングを行うことができる。当該標準のメタデータは、代表例としては、曲のタイトル、アーチスト、キーワード及び曲の歌詞を含む。但し、天気状況のような外部ファクタを表す曲と同様の曲を見つけるために色々なアルゴリズムを用いることができるので、メタデータは必須ではない。例えば、思慮深い曲を雨の日に関連付けることができる。
【００２０】
例えば、外部ファクタが天気状況に関係し、外部データが温度が非常に低いことを示しているとき、"Baby, it's cold outside"という曲がプレイリストに対する適合メディアアイテムとして選択されうる。或いは、外部データが温度が高いことを示しているとき、"Hot, hot, hot"という曲が適合メディアアイテムとして選択されうる。或いは、外部データが雨が降っていることを示しているとき、"Singin' in the rain"という曲がプレイリストの適合メディアアイテムとして選択されうる。ユーザ嗜好１４５を用いる例として、ユーザの年齢や性別を、適合可能性のある多数の異なる曲のうちの１つを選択するために用いてもよい。例えば、何年も前に記録した曲を年配のユーザに呈示することができるとともに、同じ曲の現代バージョンを若いユーザに呈示することができる。さらに、或るユーザは、"Singin' in the rain"のような古い映画からの曲のジャンルを好む場合があるとともに、他のユーザは、モータウンのジャンルのThe Temptationsによる"I wish it would rain"を好む。他の色々な例が当業者には明らかとなる。
【００２１】
外部ファクタが株価に関係しているとき、外部データは、個々の株式の価格、市場平均などを含むことができる。さらに、ユーザが指定したコレクションの株式について価格を合計することもできる。「Wall street」、「ＮＡＳＤＡＱ」、「インデックス」、「為替」、「お金」、「キャッシュ」などの特定のキーワードに基づいて曲を選択することができる。例としての曲には、"The Wall Street shuffle"及び"Money"が含まれる。他のオプションは、ユーザがトリガ又は目標レベルを設定することであり、例えば、ＤＪＩＡインデックスが増加して１１，０００ポイントを上回ったときに、"We're in the money"又は他のアップビートの曲がプレイリストのために選択可能である。同様に、或る目標レベルを下回るほど株価が下落したときには悲しい曲を選択することができる。１つの可能性のあるアプローチにおいて、メディアプレイは、例えば週又は月のような比較的に長い期間における株価の変化に反応することができる。
【００２２】
外部ファクタが曲の売り上げに関係するとき、外部データは、例えば異なるジャンルにおける上位売り上げの曲の識別子を含むことができる。このデータは、ユーザ嗜好１４５に応じてフィルタ処理されることができる。曲毎の外部データは、プレイリストを発生するようメディアプレーヤにおいて局部的に記憶されるメディアアイテムの識別子と照合可能な識別子を含むことができる。或いはタイトルが照合可能である。したがって、音楽産業から受信した外部データと組み合わされる記憶された曲のメタデータにより、メディアプレーヤが、与えられたカテゴリにおける上位の曲のプレイリストを発生することができる。
【００２３】
なお、各メディアアイテムが外部ファクタ及び外部データに基づく場合に新しいプレイリストを発生することができる。例えば、当該プレイリストにおける全ての曲は、外部ファクタが天気であり外部データが雨が降っていることを示すときに雨に関係づけることができる。或いは、プレイリストの所定の部分、例えば半分の曲は、外部ファクタ及び外部データに基づくものとし、もう半分の曲は、従来のように発生されるようにすることができる。さらに、現行のプレイリストは、現行のプレイリストにおけるメディアアイテムの幾つかを置き換えることにより外部ファクタ及び外部データに関係した曲を含むように改変することができる。したがって、新しいプレイリスト及び改変したプレイリストの双方が発生可能である。なお、発生されるプレイリストは、セーブされ、ユーザにより後で再利用されることができる。さらに、プレイリストは、外部ファクタの変化が検出され次第時々刻々と更新可能である。或いは、プレイリストは、外部ファクタの変化がメディアプレーヤにより検出されても、発生したら固定させることが可能である。
【００２４】
図４は、本発明による適合メディアアイテムを選択するようメディアアイテムに暦データをマッピングすることを示している。図４において、矢印４０５は「予めプログラムされた日付」を示し、矢印４１０は「ユーザ指定の日付」を示し、ブロック１０５は「カレンダ」を示し、ブロック１０５は「暦データ」を示し、ブロック３４０は「メディアアイテムのメタデータ」を示し、ブロック１４５は「ユーザ嗜好」を示し、ブロック３６０は「マッピング」を示し、ブロック３７０は「適合メディアアイテム」を示し、ブロック３８０は「プレイリストの発生」を示す。カレンダ１０５は、日時を追跡するための内部クロックを有する。予めプログラムされた日付（矢印４０５）は、休日、選挙及び満月、日食若しくは月食又はその他の天文学的関心事のある日のような一般的関心のある日を示すために設けることができる。さらに、ユーザ指定の日（矢印４１０）は、ユーザが入力することができる。これらは、誕生日、記念日、休暇の日、関心のあるスポーツイベントの日、約束の日などとすることができる。カレンダが関心のある日が到来したことを確認すると、プレイリスト（ブロック３８０）を発生するために１つ又は複数の適合メディアアイテム（ブロック３７０）を判定するようメディアアイテム（ブロック３４０）のメタデータにマッピング機能３６０によりマップ化された暦データ（ブロック４００）を提供する。例えば、クリスマスソングは、日付が予めプログラムされたクリスマスの日になり又はこの日に近づくときに選択されるようにしてもよい。例えば春、夏、秋又は冬などの季節に基づいて他の季節に関する曲を選択することができる。他の例として、"Happy Birthday to you"又は"Birthday"の曲が、ユーザにより指定された誕生日の日付に選択されるようにすることができる。他の例として、月曜日のプレイリストのために"Monday, Monday"の曲を選択することができる。曲は、クリスマス、月曜日、週末、金曜、夏などの特定のキーワードを用いてそのメタデータに基づいて選択することができる。他の例では、"Moondance"という曲を満月の日に選択することができる。さらに、当該曲が夜に選択されるように時間データを用いることができる。
【００２５】
さらに、時刻を、朝に発生したプレイリストが夜に発生したものとは異なるような外部ファクタとして用いることができる。カレンダ機能１０５又は独立クロックは、時刻データを提供するようにしてもよい。
【００２６】
以上、本発明の好適実施例とするために検討されるものについて図示し説明してきたが、本発明の主旨を逸脱することなく、形態又は詳細において様々な変形及び変更を容易になすことができることが理解されることは勿論である。したがって、本発明は、説明し図示した厳密な形態に限定されるものではなく、添付の請求項の範囲内に存しうる全ての改変形態を含むものと解釈すべきことを意図するものである。
【図面の簡単な説明】
【００２７】
【図１】本発明によるメディアプレーヤのブロック図。
【図２】本発明による一例のメディアプレーヤユーザインターフェースを示す図。
【図３】本発明による適合メディアアイテムを選択するためのメディアアイテムへの外部ファクタのマッピングを示す図。
【図４】本発明による適合メディアアイテムを選択するためのメディアアイテムへの暦データのマッピングを示す図。
【図１】
2008530720.tif 000003
【図２】
2008530720.tif 000004
【図３】
2008530720.tif 000005
【図４】
2008530720.tif 000006
【国際調査報告】
2008530720.tif 000007
2008530720.tif 000008
2008530720.tif 000009